(57)【要約】【課題】用紙仕分け装置において、ずらし量を安定させた用紙仕分けを簡単な制御で行う。【解決手段】用紙仕分け装置１は、用紙が載置される排紙台１０と、この排紙台１０へ搬送される用紙の搬送方向Ｔにおける先端に接触する突き当て部３０と、搬送方向Ｔに交差する幅方向Ｗにおける用紙の位置を規制するサイドフェンス（右側フェンス２１及び左側フェンス２２）と、を備え、突き当て部３０は、用紙の先端に接触することにより用紙の向きを当該用紙の表面と平行な面内で傾かせる接触位置Ｐ１と、当該接触位置Ｐ１から退避した退避位置Ｐ２と、に移動する接触部３２を有し、サイドフェンス（２１，２２）は、接触部３２に接触せず排紙台１０に載置される第１の位置と、接触部３２に接触して向きが傾けられて排紙台１０に載置される第２の位置と、の両方の幅方向Ｗにおける位置を規制する。【選択図】図１
2018197162.tif 000002
【特許請求の範囲】
【請求項１】
用紙が載置される排紙台と、
前記排紙台へ搬送される前記用紙の搬送方向における先端に接触する突き当て部と、
前記搬送方向に交差する幅方向における前記用紙の位置を規制するサイドフェンスと、
を備え、
前記突き当て部は、前記用紙の前記先端に接触することにより前記用紙の向きを当該用紙の表面と平行な面内で傾かせる接触位置と、当該接触位置から退避した退避位置と、に移動する接触部を有し、
前記サイドフェンスは、前記接触部に接触せず前記排紙台に載置される第１の位置と、前記接触部に接触して向きが傾けられて前記排紙台に載置される第２の位置と、の両方の前記幅方向における位置を規制する、
ことを特徴とする用紙仕分け装置。
【請求項２】
前記接触部は、前記幅方向において前記用紙の中心よりも一方側にずれた位置で前記用紙の先端に接触し、
前記用紙仕分け装置は、前記第１の位置よりも前記搬送方向における後方側で且つ前記第２の位置よりも前記幅方向における前記一方側に配置され前記第２の位置での前記用紙の向きを保持する保持部を更に備える、
ことを特徴とする請求項１記載の用紙仕分け装置。
【発明の詳細な説明】
【技術分野】
【０００１】
本発明は、用紙仕分けを行う用紙仕分け装置に関する。
【背景技術】
【０００２】
従来、印刷後の用紙仕分けを行うため、複数の仕分けトレイを備えた後処理装置や、指定枚数の用紙毎にテープを介在させる装置（テープソータ）が知られているが、後処理装置の大型化やテープという消耗品の発生といった問題が生じる。
【０００３】
一方、用紙仕分けを行う用紙仕分け装置として、用紙が突き当てられる突き当てフェンスや、用紙が載置される排紙台が移動することによって、用紙を搬送方向にずらすように仕分けを行う用紙仕分け装置が提案されている（例えば、特許文献１〜４参照）。例えば、排紙台が上下動するとともに突き当てフェンスが搬送方向に移動することによって、用紙を搬送方向にずらすように仕分けを行う用紙仕分け装置が提案されている（例えば、特許文献４参照）。
【０００４】
また、用紙の表面に接触させた回転体を回転させることで、用紙を傾ける用紙仕分け装置が提案されている（例えば、特許文献５参照）。
【先行技術文献】
【特許文献】
【０００５】
【特許文献１】特開２０１５−１６８５４１号公報
【特許文献２】特開２００５−１３２５１６号公報
【特許文献３】特開平９−２３５０６６号公報
【特許文献４】特開２０１３−２２０８９３号公報
【特許文献５】特開２０００−２６０１３号公報
【発明の概要】
【発明が解決しようとする課題】
【０００６】
上述のように、用紙を搬送方向にずらすように仕分けを行う用紙仕分け装置は、突き当てフェンスから搬送方向における後方への用紙の跳ね返りなどによって、仕分けのずらし量が安定しない。特に、排紙台の載置面が搬送方向にかけて水平面に対して傾斜している場合には、仕分けのずらし量がより一層安定しない。更には、排紙台を上下動させる用紙仕分け装置は、用紙仕分け装置の大型化やコストアップ、更には制御の複雑化を招く。
【０００７】
また、用紙の表面に回転体を接触させ、回転体を回転させる用紙仕分け装置は、仕分けの際に印刷動作を途中で止める必要があるために印刷効率がダウンしたり制御が複雑になったりすること、次の用紙が来るために回転体が用紙を保持できないこと、このように用紙を保持できないために傾けた用紙が用紙の剛性で元に戻りずらし量が安定しないこと、回転体が印刷面に接触するために印刷面が汚れることなどの問題がある。
【０００８】
本発明の目的は、ずらし量を安定させた用紙仕分けを簡単な制御で行うことができる用紙仕分け装置を提供することある。
【課題を解決するための手段】
【０００９】
１つの態様では、用紙仕分け装置は、用紙が載置される排紙台と、前記排紙台へ搬送される前記用紙の搬送方向における先端に接触する突き当て部と、前記搬送方向に交差する幅方向における前記用紙の位置を規制するサイドフェンスと、を備え、前記突き当て部は、前記用紙の前記先端に接触することにより前記用紙の向きを当該用紙の表面と平行な面内で傾かせる接触位置と、当該接触位置から退避した退避位置と、に移動する接触部を有し、前記サイドフェンスは、前記接触部に接触せず前記排紙台に載置される第１の位置と、前記接触部に接触して向きが傾けられて前記排紙台に載置される第２の位置と、の両方の前記幅方向における位置を規制する。
【発明の効果】
【００１０】
前記態様によれば、ずらし量を安定させた用紙仕分けを簡単な制御で行うことができる。
【図面の簡単な説明】
【００１１】
【図１】一実施の形態に係る用紙仕分け装置を搬送方向における前方側から見た斜視図である。
【図２】一実施の形態に係る用紙仕分け装置を搬送方向における後方側から見た斜視図である。
【図３】一実施の形態における用紙の仕分けを説明するための平面図（その１）である。
【図４】一実施の形態における用紙の仕分けを説明するための平面図（その２）である。
【図５】一実施の形態における仕分けが行われた用紙を示す斜視図である。
【図６】一実施の形態における制御装置を説明するためのブロック図である。
【図７】一実施の形態における用紙の仕分けを説明するためのフローチャートである。
【発明を実施するための形態】
【００１２】
以下、本発明の実施の形態に係る用紙仕分け装置について、図面を参照しながら説明する。
【００１３】
図１は、一実施の形態に係る用紙仕分け装置１を搬送方向Ｔにおける前方側から見た斜視図である。
【００１４】
図２は、一実施の形態に係る用紙仕分け装置１を搬送方向Ｔにおける後方側から見た斜視図である。
【００１５】
図３及び図４は、本実施の形態における用紙Ｓの仕分けを説明するための平面図である。
【００１６】
図１及び図２に示すように、用紙仕分け装置１は、排紙台１０と、サイドフェンスの一例である右側フェンス２１及び左側フェンス２２と、突き当て部３０と、を備える。また、用紙仕分け装置１は、図２に示す保持部４０と、図６に示す接触部駆動用モータ５０と、を更に備えるとよい。
【００１７】
排紙台１０には、後述する突き当てフェンス３１に先端が接触した用紙Ｓが載置される図３に示す第１の位置（第１の用紙Ｓ１）と、後述する接触部３２に先端が接触して向きが傾けられた用紙Ｓが載置される図４に示す第２の位置（第２の用紙Ｓ２）と、に用紙Ｓが載置される。以下、第１の位置の用紙Ｓを第１の用紙Ｓ１とし、第２の位置の用紙Ｓを第２の用紙Ｓ２として説明する。これらの第１の用紙Ｓ１及び第２の用紙Ｓ２は、図５に示すように、ユーザが設定する枚数で交互に積載されるように仕分けられている。なお、第２の用紙Ｓ２の向きの傾きは、第２の用紙Ｓ２の表面（印刷面）と平行な面内での傾きである。
【００１８】
右側フェンス２１及び左側フェンス２２は、用紙Ｓの排紙台１０への搬送方向Ｔに交差する幅方向Ｗにおける用紙Ｓの位置を規制する。詳しくは後述するが、右側フェンス２１及び左側フェンス２２は、第１の用紙Ｓ１及び第２の用紙Ｓ２の両方の幅方向Ｗにおける位置を規制する。
【００１９】
右側フェンス２１は、搬送方向Ｔに向かって用紙Ｓの右側において、例えば、排紙台１０から上方に突出するように設けられている。また、右側フェンス２１は、切り欠き２１ａと、傾斜部２１ｂと、軸支部２１ｃと、を有する。
【００２０】
切り欠き２１ａは、底面側（排紙台１０側）に開口し、幅方向Ｗに右側フェンス２１を貫通するように設けられている。また、切り欠き２１ａは、図４に示すように、搬送方向Ｔにおける第２の用紙Ｓ２の前方側及び右側の一部が挿入されることで、第２の用紙Ｓ２の向きが傾くのを許容する。また、右側フェンス２１は、切り欠き２１ａに第２の用紙Ｓ２の一部が挿入された状態で、切り欠き２１ａの搬送方向Ｔにおける後端及び前端において第２の用紙Ｓ２の幅方向Ｗ及び搬送方向Ｔにおける位置を規制する（図４の符号Ｃ３−１，Ｃ３−２参照）。なお、搬送方向Ｔにおける前方とは、用紙Ｓが進む方向（下流側）であり、搬送方向Ｔにおける後方とは、用紙Ｓが進む方向とは反対方向（上流側）である。
【００２１】
傾斜部２１ｂは、右側フェンス２１の搬送方向Ｔにおける後端に設けられ、用紙Ｓを受け入れやすくするために左側フェンス２２とは遠ざかるように傾斜した板状部分である。なお、傾斜部２１ｂの下端は、排紙台１０よりも上方に位置する。
【００２２】
図１に示すように、軸支部２１ｃは、右側フェンス２１の搬送方向Ｔにおける前端から前方に突出するように上下一対に設けられ、後述する接触部３２の回動軸３２ｄを回動可能に支持する。
【００２３】
左側フェンス２２は、搬送方向Ｔに向かって用紙Ｓの左側において、例えば、排紙台１０から上方に突出するように設けられている。また、左側フェンス２２は、傾斜部２２ａを有する。この傾斜部２２ａは、左側フェンス２２の搬送方向Ｔにおける後端に設けられ、用紙Ｓを受け入れやすくするために右側フェンス２１とは遠ざかるように傾斜した板状部分である。なお、傾斜部２２ａの下端は、排紙台１０よりも上方に位置する。
【００２４】
図３に示すように、搬送方向Ｔにおいて、右側フェンス２１が第１の用紙Ｓ１をガイド可能な領域の長さＬ１（傾斜部２１ｂ及び軸支部２１ｃを除く長さ）は、第１の用紙Ｓ１の長さとほぼ同一である。一方、搬送方向Ｔにおいて、左側フェンス２２が第１の用紙Ｓ１をガイド可能な領域の長さＬ２（傾斜部２２ａを除く長さ）は、長さＬ１よりも短い。このように、左側フェンス２２の上記長さＬ２が右側フェンス２１の上記長さＬ１よりも短くなっていることで、左側フェンス２２が第１の用紙Ｓ１の搬送方向Ｔにおける後方左側をガイドしない。そのため、図４に示すように、左側フェンス２２は、第２の用紙Ｓ２の後方側及び左側の一部に干渉しないことで、第２の用紙Ｓ２の向きが傾くのを許容する。また、左側フェンス２２は、傾斜部２２ａの根元部分である屈曲部分（搬送方向Ｔにおける前端）において第２の用紙Ｓ２の幅方向Ｗ及び搬送方向Ｔにおける位置を規制する（図４の符号Ｃ３−３参照）。
【００２５】
なお、右側フェンス２１及び左側フェンス２２は、右側フェンス２１の切り欠き２１ａと、左側フェンス２２の上記長さＬ２が右側フェンス２１の上記長さＬ１よりも短いこととによって、第２の用紙Ｓ２の幅方向Ｗ及び搬送方向Ｔにおける位置を規制しているが、これらはあくまで一例にすぎず、例えば、右側フェンス２１に切り欠き２１ａが設けられるのに代えて、切り欠き２１ａに相当する位置で空間が生じるように互いに分離した複数の部材が右側フェンス２１として機能してもよいし、或いは、左側フェンス２２の長さＬ２を短くするのに代えて、左側フェンス２２に切り欠きを設けてもよい。
【００２６】
突き当て部３０は、突き当てフェンス３１と、接触部３２と、を有する。突き当てフェンス３１及び接触部３２は、排紙台１０へ載置される用紙Ｓの先端（前端）に接触する。
【００２７】
突き当てフェンス３１は、例えば、幅方向Ｗにおける用紙Ｓの中心において、排紙台１０から上方に突出するように設けられている。
【００２８】
接触部３２は、本体平面部３２ａと、先端屈曲部３２ｂと、弾性部３２ｃと、回動軸３２ｄと、を有する。
【００２９】
本体平面部３２ａは、例えば矩形板状を呈する。本体平面部３２ａの一端側には、回動軸３２ｄが設けられている。
【００３０】
先端屈曲部３２ｂは、本体平面部３２ａのうち回動軸３２ｄが設けられた一端側とは反対の他端側から屈曲するように設けられている板状部分である。これにより、本体平面部３２ａ及び先端屈曲部３２ｂは、平面視においてＬ字形状を呈する。
【００３１】
弾性部３２ｃは、接触による用紙Ｓの先端へ加わる衝撃を和らげるために、先端屈曲部３２ｂの先端（本体平面部３２ａ側とは反対側）に設けられている。弾性部３２ｃの一例としては、スポンジやゴムが挙げられる。
【００３２】
回動軸３２ｄは、上述の右側フェンス２１の軸支部２１ｃによって回動可能に支持されている。また、回動軸３２ｄは、後述する図６に示す接触部駆動用モータ５０の駆動によって回動する。
【００３３】
接触部３２は、回動軸３２ｄを中心に回動することで、弾性部３２ｃにおいて用紙Ｓの先端に接触（図４の符号Ｃ２参照）することにより排紙台１０に載置される用紙（第２の用紙Ｓ２）の向きを傾かせる接触位置Ｐ１（図４参照）と、この接触位置Ｐ１から退避した退避位置Ｐ２（図３参照）と、に移動する。接触部３２は、回動軸３２ｄが右側フェンス２１の軸支部２１ｃに軸支されているため、接触位置Ｐ１において、用紙Ｓの先端のうち右側（幅方向Ｗにおいて用紙の中心よりも一方側にずれた位置の一例）で用紙Ｓに接触する。なお、図１及び図２では、接触位置Ｐ１にある接触部３２を破線で示す。
【００３４】
また、接触部３２が退避位置Ｐ２にあるとき、突き当てフェンス３１が用紙（第１の用紙Ｓ１）の先端に接触（図３の符号Ｃ１参照）する。ここで、用紙Ｓは、突き当てフェンス３１又は接触部３２に接触する高さと同一高さの位置において例えば印刷装置の排出ローラによって排出されることで搬送方向Ｔに水平に搬送されるか、或いは、上記の接触する高さよりも上方において例えば印刷装置の排出ローラから排出されることで斜め下方に搬送される。
【００３５】
なお、本実施の形態では、接触部３２は、回動軸３２ｄを中心に回動するが、例えば直線状に接触位置Ｐ１と退避位置Ｐ２とに移動してもよいため、回動する構成に限定されない。また、本実施の形態では、接触部３２が本体平面部３２ａ、先端屈曲部３２ｂ、弾性部３２ｃ、及び回動軸３２ｄを有する例について説明しているが、接触部３２は、接触位置Ｐ１及び退避位置Ｐ２に移動し、接触位置Ｐ１において用紙Ｓの先端に接触することで用紙Ｓの向きを傾かせるものであれば、形状も限定されない。
【００３６】
また、本実施の形態では、接触部３２が右側フェンス２１（軸支部２１ｃ）に設けられる例について説明しているが、接触部３２は、左側フェンス２２や突き当てフェンス３１や排紙台１０などの他の部材に設けられていてもよい。また、突き当てフェンス３１が例えば回動して第２の用紙Ｓ２の向きを傾かせる位置に移動することにより、第１の用紙Ｓ１の先端のみならず第２の用紙Ｓ２の先端にも接触してもよい。この場合、突き当てフェンス３１が接触部として機能することになる。
【００３７】
保持部４０は、第１の用紙Ｓ１よりも搬送方向Ｔの後方側で且つ第２の用紙Ｓ２よりも右側（幅方向Ｗにおいて用紙の中心よりも、接触部３２が用紙Ｓに接触する側）に配置され、第２の用紙Ｓ２の傾けられた向きを保持する（図４の符号Ｃ３−４参照）。また、保持部４０は、第１の用紙Ｓ１の搬送方向Ｔにおける後方側の位置を規制する。保持部４０は、排紙台１０から上方に突出するように設けられている。
【００３８】
なお、保持部４０は、排紙台１０から上方に突出するように設けられているが、用紙仕分け装置１が配置される印刷装置等と一体に設けられていてもよいし、右側フェンス２１などの他の部材に設けられていてもよい。
【００３９】
図６に示す接触部駆動用モータ５０は、接触部３２の回動軸３２ｄを回動させることによって、接触部３２を接触位置Ｐ１及び退避位置Ｐ２に移動させる。
【００４０】
制御装置１００は、制御部１０１と、ＲＯＭ（Read only memory）１０２と、ＲＡＭ（Random Access Memory）１０３と、を有する。制御装置１００は、用紙仕分け装置１に備えられていてもよいし、用紙仕分け装置１が配置される印刷装置等の他の装置の制御装置が兼用するものであってもよい。
【００４１】
制御部１０１は、プロセッサ（例えばＣＰＵ： Central Processing Unit）を有し、制御プログラムを読み出して実行する。また、制御部１０１は、用紙Ｓの仕分け設定がされている場合に、仕分けを行うタイミングで接触部駆動用モータ５０を稼動させ、接触部３２を接触位置Ｐ１又は退避位置Ｐ２に移動させる。また接触部３２の移動は駆動モータだけでなく、例としてソレノイドといった別の駆動手段によるものであっても良い。
【００４２】
ＲＯＭ１０２は、例えば、制御プログラムが予め記録されている読み出し専用半導体メモリである。なお、ＲＯＭ１０２として、フラッシュメモリ等の、電力供給の停止に対して記憶データが不揮発性であるメモリを使用してもよい。
【００４３】
ＲＡＭ１０３は、例えば、制御部１０１が各種の制御プログラムを実行する際に必要に応じて作業用記憶領域として使用される随時書き込み読み出し可能な半導体メモリである。
【００４４】
以下、用紙Ｓの仕分けについて、上述の説明と重複する事項については適宜省略しながら説明する。
【００４５】
図７は、用紙Ｓの仕分けを説明するためのフローチャートである。
まず、図６に示す制御部１０１は、接触部３２を退避位置Ｐ２へ移動させる（ステップＳ１）。或いは、接触部３２が既に退避位置Ｐ２にあるときには、制御部１０１は、接触部３２を退避位置Ｐ２のまま待機させる。
【００４６】
接触部３２が退避位置Ｐ２にあるとき、印刷装置等から排出される用紙Ｓの先端は、図３に示すように、突き当てフェンス３１に接触する。このように、接触部３２に接触せず突き当てフェンス３１に接触した用紙Ｓは、そのまま落下し、図３に示す第１の位置（第１の用紙Ｓ１）において排紙台１０に載置される。
【００４７】
制御部１０１は、設定枚数である所定数の印刷が完了した後（ステップＳ２：ＹＥＳ）、仕分け印刷を行う設定がされているかを判定する（ステップＳ３）。仕分け印刷を行う設定がされていない場合（ステップＳ３：ＮＯ）、図７に示す処理が終了する。
【００４８】
一方、仕分け印刷を行う設定がされている場合（ステップＳ３：ＹＥＳ）、制御部１０１は、接触部３２を退避位置Ｐ２から接触位置Ｐ１へ移動させる（ステップＳ４）。
【００４９】
接触部３２が接触位置Ｐ１にあるとき、印刷装置等から排出される用紙Ｓの先端は、図４に示すように、接触部３２に接触し、向きが傾けられる。このように、接触部３２に接触して向きが傾けられた用紙Ｓは、図４に示す第２の位置（第２の用紙Ｓ２）において排紙台１０に載置される。
【００５０】
なお、図４に示すように、用紙Ｓの先端が接触部３２に接触した後には、用紙Ｓは、接触により向きが傾いた状態を右側フェンス２１（符号Ｃ３−１，Ｃ３−２）と左側フェンス２２（符号Ｃ３−３）と保持部４０（符号Ｃ３−４）とにより保持されながら、排紙台１０上に落下する。例えば、用紙Ｓは、右側フェンス２１の２点（符号Ｃ３−１，Ｃ３−２）及び保持部４０の１点（符号Ｃ３−４）のうちのいずれか２点と、左側フェンス２２（符号Ｃ３−３）との合計３点に接触し、向きを保持される。
【００５１】
制御部１０１は、所定数の印刷が完了した後（ステップ５：ＹＥＳ）、再び仕分け印刷を行う設定がされているかを判定する（ステップＳ６）。仕分け印刷を行う設定がされていない場合（ステップＳ６：ＮＯ）、図７に示す処理が終了する。
【００５２】
一方、仕分け印刷を行う設定がされている場合（ステップＳ６：ＹＥＳ）、制御部１０１は、接触部３２を退避位置Ｐ２へ移動させる処理（ステップＳ１）から上述の処理を繰り返すことになる。
【００５３】
以上説明した本実施の形態では、用紙仕分け装置１は、用紙Ｓが載置される排紙台１０と、排紙台１０へ搬送される用紙Ｓの搬送方向Ｔにおける先端に接触する突き当て部３０と、搬送方向Ｔに交差する幅方向Ｗにおける用紙Ｓの位置を規制するサイドフェンスの一例である右側フェンス２１及び左側フェンス２２と、を備え、突き当て部３０は、用紙Ｓ（第２の用紙Ｓ２）の先端に接触することにより用紙Ｓの向きを当該用紙Ｓの表面と平行な面内で傾かせる接触位置Ｐ１と、当該接触位置Ｐ１から退避した退避位置Ｐ２と、に移動する接触部３２を有し、右側フェンス２１及び左側フェンス２２は、接触部３２に接触せず排紙台１０に載置される第１の位置（第１の用紙Ｓ１）と、接触部３２に接触して向きが傾けられて排紙台１０に載置される第２の位置（第２の用紙Ｓ２）と、の両方の幅方向Ｗにおける位置を規制する。これにより、第２の用紙Ｓ２（第２の位置の用紙Ｓ）が第１の用紙Ｓ１（第１の位置の用紙Ｓ）に対して向きが傾いた状態で排紙台１０に載置されるため、搬送方向Ｔにずらした位置で用紙Ｓが仕分けされる場合と比較して、第２の用紙Ｓ２として載置される用紙Ｓが接触部３２に接触しても、第１の用紙Ｓ１側に接近する方向には跳ね返らない。また、右側フェンス２１及び左側フェンス２２が第１の用紙Ｓ１と第２の用紙Ｓ２との両方の幅方向Ｗにおける位置を規制する。これらによって、第１の用紙Ｓ１と第２の用紙Ｓ２とに用紙Ｓをずらす量が安定する。また、第１の用紙Ｓ１と第２の用紙Ｓ２との仕分けを行うための制御が、接触部３２を接触位置Ｐ１と退避位置Ｐ２とに移動させる制御で足りる。したがって、本実施の形態によれば、ずらし量を安定させた用紙仕分けを簡単な制御で行うことができる。更には、接触部３２が第２の用紙Ｓ２として排紙台１０に載置される用紙Ｓの先端に接触するため、用紙の表面に接触する回転体を用いて用紙仕分けを行う場合と比較して、仕分けする用紙１枚ごとに回転体を退避させる必要がないために印刷等の効率のダウンや制御の複雑化や用紙を保持できない状況が生じるのを回避することができるとともに、用紙Ｓの印刷面が汚れるのを回避することができる。
【００５４】
また、本実施の形態では、接触部３２は、幅方向Ｗにおいて用紙Ｓの中心よりも右側（一方側の一例）にずれた位置で用紙Ｓ（第２の用紙Ｓ２）の先端に接触し、用紙仕分け装置１は、第１の位置（第１の用紙Ｓ１）よりも搬送方向Ｔにおける後方側で且つ第２の位置（第２の用紙Ｓ２）よりも幅方向Ｗにおける右側（接触部３２が用紙Ｓに接触する側）に配置され第２の位置での用紙Ｓ（第２の用紙Ｓ２）の向きを保持する保持部４０を更に備える。これにより、第２の用紙Ｓ２の向きを保持することができることができるため、ずらし量をより一層安定させた用紙仕分けを行うことができる。
【００５５】
なお、本発明は、上述の実施の形態そのままに限定されるものではなく、実施段階でその要旨を逸脱しない範囲で構成要素を変形して具体化することができる。また、上述の実施の形態に開示されている複数の構成要素の適宜な組み合わせにより、種々の発明を形成することができる。例えば、実施の形態に示される全構成要素を適宜組み合わせてもよい。このような、発明の趣旨を逸脱しない範囲内において種々の変形や応用が可能であることはもちろんである。以下に、本願の出願当初の特許請求の範囲に記載された発明を付記する。
【００５６】
［付記１］
用紙が載置される排紙台と、
前記排紙台へ搬送される前記用紙の搬送方向における先端に接触する突き当て部と、
前記搬送方向に交差する幅方向における前記用紙の位置を規制するサイドフェンスと、
を備え、
前記突き当て部は、前記用紙の前記先端に接触することにより前記用紙の向きを当該用紙の表面と平行な面内で傾かせる接触位置と、当該接触位置から退避した退避位置と、に移動する接触部を有し、
前記サイドフェンスは、前記接触部に接触せず前記排紙台に載置される第１の位置と、前記接触部に接触して向きが傾けられて前記排紙台に載置される第２の位置と、の両方の前記幅方向における位置を規制する、
ことを特徴とする用紙仕分け装置。
【００５７】
［付記２］
前記接触部は、前記幅方向において前記用紙の中心よりも一方側にずれた位置で前記用紙の先端に接触し、
前記用紙仕分け装置は、前記第１の位置よりも前記搬送方向における後方側で且つ前記第２の位置よりも前記幅方向における前記一方側に配置され前記第２の位置での前記用紙の向きを保持する保持部を更に備える、
ことを特徴とする付記１記載の用紙仕分け装置。
【符号の説明】
【００５８】
１      用紙仕分け装置
１０      排紙台
２１      右側フェンス
２１ａ      切り欠き
２１ｂ      傾斜部
２１ｃ      軸支部
２２      左側フェンス
２２ａ      傾斜部
３０      突き当て部
３１      突き当てフェンス
３２      接触部
３２ａ      本体平面部
３２ｂ      先端屈曲部
３２ｃ      弾性部
３２ｄ      回動軸
４０      保持部
５０      接触部駆動用モータ
１００      制御装置
１０１      制御部
１０２      ＲＯＭ
１０３      ＲＡＭ
Ｐ１      接触位置
Ｐ２      退避位置
Ｓ      用紙
Ｓ１      第１の用紙
Ｓ２      第２の用紙
Ｔ      用紙の搬送方向
Ｗ      用紙の幅方向
【図１】
2018197162.tif 000003
【図２】
2018197162.tif 000004
【図３】
2018197162.tif 000005
【図４】
2018197162.tif 000006
【図５】
2018197162.tif 000007
【図６】
2018197162.tif 000008
【図７】
2018197162.tif 000009